(57)【要約】      （修正有）【課題】内部に物品を収納した状態でコンパクトに保持することができる手提げバッグを提供する。【解決手段】手提げバッグ１０は、上部に開口を有する箱状の手提げバッグ本体２０と、手提げバッグ本体の内底に着脱自在に配設される緩衝部と、を備える。緩衝部は、折り畳み可能に複数の板状緩衝体が連結されると共に、少なくとも１つの板状緩衝体３２の両端からそれぞれ延伸する第１延伸部３４ａが設けられ、さらに、これらの第１延伸部にそれぞれ第１連結部３６ｂが設けられて構成されている。手提げバッグ本体は、開口の縁部において互いに対向する位置からそれぞれ延伸する第２延伸部が設けられ、これらの第２延伸部にそれぞれ第２連結部が設けられて構成されている。【選択図】図３
0003153418.tif 000002
【実用新案登録請求の範囲】
【請求項１】
上部に開口を有する箱状の手提げバッグ本体と、
前記手提げバッグ本体の内底に着脱自在に配設される緩衝部と、を備え、
前記緩衝部は、折り畳み可能に複数の板状緩衝体が連結されると共に、少なくとも１つの前記板状緩衝体の両端からそれぞれ延伸する第１延伸部が設けられ、さらに、これらの第１延伸部にそれぞれ第１連結部が設けられて構成されており、
しかも、前記手提げバッグ本体は、前記開口の縁部において互いに対向する位置からそれぞれ延伸する第２延伸部が設けられ、これらの第２延伸部にそれぞれ第２連結部が設けられて構成されていることを特徴とする手提げバッグ。
【請求項２】
前記複数の第１連結部は、第１連結雄部と第１連結雌部とから構成され、
前記複数の第２連結部は、第２連結雄部と第２連結雌部とから構成され、
前記第１連結雄部と前記第２連結雌部とを連結可能に構成すると共に、前記第１連結雌部と前記第２連結雄部とを連結可能に構成し、
しかも、前記第１連結雄部と第２連結雄部とを同形状とし、前記第１連結雌部と前記第２連結雌部とを同形状としたことを特徴とする請求項１に記載の手提げバッグ。
【請求項３】
前記手提げバッグ本体の第２延伸部の一方を他方よりも長くしたことを特徴とする請求項１又は２に記載の手提げバッグ。
【請求項４】
少なくとも前記第２延伸部は、前記第２連結部の取付位置を調整可能であることを特徴とした請求項１〜３のいずれか１項に記載の手提げバッグ。
【考案の詳細な説明】
【技術分野】
【０００１】
本考案は、手提げバッグに関し、上部に開口を有する箱状の手提げバッグに関する。
【背景技術】
【０００２】
従来、手提げバッグとしては、上部に開口を有し、内部に物品を収納することができる持ち手の付いたバッグであり、近年、地球環境保護のためのエコバッグなど、薄手な手提げバッグが知られている。
【０００３】
このような手提げバッグの中には、例えば、特許文献１に示すように、折り畳み可能であり、その折りたたんだバッグをコンパクトに収納できる手提げバッグが公開されている。このような手提げバッグは、例えば、外出する際に手提げバッグを折り畳んだ状態で持ち運ぶことができ、必要に応じて内部に物品を収納することができ、簡便である。
【先行技術文献】
【特許文献】
【０００４】
【特許文献１】特開２００８−１２６０４９号公報
【考案の概要】
【考案が解決しようとする課題】
【０００５】
しかしながら、上述した手提げバッグでは、内部に物品が収納されていない場合には、コンパクトに保持できるが、内部に物品が収納されていると、その保持に気を遣わなければならない。例えばスタジアムや劇場など、座席の前後左右が狭い場合においては、手提げバッグを手に保持する手間があり、集中できないおそれがある。また、手提げバッグを手に保持することなく周辺の地面に置いたりしても、狭い通路であると特に通行の邪魔となるおそれがあり、手提げバッグの保持に気を遣わなければならなかった。
【０００６】
本考案は、上述したような課題に鑑みてなされたものであり、内部に物品を収納した状態でコンパクトに保持することができる手提げバッグを提供する。
【課題を解決するための手段】
【０００７】
（１）  上部に開口を有する箱状の手提げバッグ本体と、前記バッグ本体の内底に着脱自在に配設される緩衝部と、を備え、前記緩衝部は、折り畳み可能に複数の板状緩衝体が連結されると共に、少なくとも１つの前記板状緩衝体の両端からそれぞれ延伸する第１延伸部が設けられ、さらに、これらの第１延伸部にそれぞれ第１連結部が設けられて構成されており、しかも、前記手提げバッグ本体は、前記開口の縁部において互いに対向する位置からそれぞれ延伸する第２延伸部が設けられ、これらの第２延伸部にそれぞれ第２連結部が設けられて構成されていることを特徴とする手提げバッグ。
【０００８】
（２）  前記複数の第１連結部は、第１連結雄部と第１連結雌部とから構成され、前記複数の第２連結部は、第２連結雄部と第２連結雌部とから構成され、前記第１連結雄部と前記第２連結雌部とを連結可能に構成すると共に、前記第１連結雌部と前記第２連結雄部とを連結可能に構成し、しかも、前記第１連結雄部と第２連結雄部とを同形状とし、前記第１連結雌部と前記第２連結雌部とを同形状としたことを特徴とする（１）に記載の手提げバッグ。
【０００９】
（３）  前記手提げバッグ本体の第２延伸部の一方を他方よりも長くしたことを特徴とする（１）又は（２）に記載の手提げバッグ。
【００１０】
（４）  少なくとも前記第２延伸部は、前記第２連結部の取付位置を調整可能であることを特徴とした（１）〜（３）のいずれか１つに記載の手提げバッグ。
【考案の効果】
【００１１】
この考案によれば、例えば座席間が狭い場所であっても、内部に物品を収納した状態で手提げバッグをコンパクトに保持することができる。
【図面の簡単な説明】
【００１２】
【図１】本考案の一実施形態の手提げバッグの使用方法を示す説明図である。
【図２】本考案の一実施形態の手提げバッグの使用方法を示す説明図である。
【図３】本考案の一実施形態の手提げバッグを示す斜視図である。
【図４】本考案の一実施形態の手提げバッグにおけるクッションを示す斜視図である。
【図５】本考案の一実施形態の手提げバッグにおけるバッグ本体を示す説明図である。
【考案を実施するための形態】
【００１３】
以下に、本考案における好適な一実施形態について図面に基づいて説明する。
【００１４】
［手提げバッグの構造］
手提げバッグの構造について図１から図５を用いて説明する。図１及び図２は、手提げバッグの使用方法を示す説明図であり、図３は、手提げバッグを示す斜視図であり、図４は、手提げバッグにおけるクッションを示す斜視図であり、図５は、手提げバッグにおけるバッグ本体を示す説明図である。
【００１５】
図１に示すように、手提げバッグ１０は、スタジアムや劇場など、座席が前後左右に比較的狭い場所において効果的に使用することができるバッグである。例えば、図１に示すように、スタジアムに設置されている座席１２に設置可能となっている。
【００１６】
座席１２は、地面に設置された座席本体１２ａと、その座席本体１２に対して回転軸１２ｂを中心に軸着された座席部１２ｃとから構成されている。また、この座席１２は、ユーザＰが座席部１２ｃに着席している場合には、座席部１２ｃが前方に出ており、ユーザＰが座席部１２ｃから離れた場合には、座席部１２ｃが回転軸１２ｂを中心に回転し、図２に示すように、跳ね上がる構造である。尚、本実施形態において、座席１２は、可動式の座席としたが、これに限らない。
【００１７】
手提げバッグ１０は、図１に示すように、手提げバッグ本体２０と、クッション３０とで構成されている。クッション３０は、座席部１２ｃの上面に配置されている。また、手提げバッグ本体２０は、クッション３０と接続されており、クッション３０に吊り下げられている。
【００１８】
また、例えば、図２に示すように、ユーザＰが着席していない場合など、座席１２の座席部１２ｃが跳ね上がっている場合には、座席部１２ｃの位置に合わせて手提げバッグ本体２０が後方に引き下がることとなる。このため、手提げバッグ１０が通路の通行を妨げることを抑制することができ、それに加えて、手提げバッグ本体２０に収納してある物品が盗難され難くなる。スタジアムや劇場などの座席の前方が狭い通路になっている場合や、座席１２から離れる機会がある場合には、特に効果的である。
【００１９】
このような手提げバッグ１０は、図３に示すように、手提げバッグ本体２０と、クッション３０と、で構成されている。
【００２０】
手提げバッグ本体２０は、物品を収納する袋部２２と、ユーザによって握持される持ち手２４と、連結ベルト２６と、連結部材２８と、で構成されている。
【００２１】
袋部２２は、上部に開口２２ａを有する箱形状である。また、袋部２２の底部２２ｂには、折りたたんだクッション３０が収納可能である。袋部２２は、薄手の合成繊維生地であり、図５（ａ）に示すように、コンパクトに折り畳み可能であると共に、図５（ｂ）に示すように、広げて物品を収納することができる。また、クッション３０を収納することによって、薄手の合成繊維生地であっても物品を収納しても、手提げバッグ１０の型崩れを抑制し、物品を収納し易くなる。尚、本実施形態においては、袋部２２が薄手の合成繊維生地で構成したが、本考案はこれに限らず、例えば、綿生地であってもよい。
【００２２】
持ち手２４は、図３に示すように、ユーザＰが握持するためのものであり、袋部２２に対して２本縫い付けられている。この持ち手２４は、袋部２２の両長辺に対して内側から縫い付けられており、手提げバッグ１０を所持した場合に、袋部手提げバッグ本体２０のバランスが取れるように袋部２２に対して左右対称に縫い付けられている。また、持ち手２４は、袋部２２と同じ生地であるが、これに限らない。
【００２３】
連結ベルト２６は、連結部材２８を延長させるための２本のベルトである。この連結ベルト２６の一端は、袋部２２の両短辺に対して、それぞれ互いに対向する位置に内側から縫い付けられている。一方、連結ベルト２６は、その他端が連結部材２８に接続されている。つまり、連結ベルト２６は、開口２２ａの縁部において互いに対向する位置からそれぞれ延伸する第２延伸部であり、これらのそれぞれに連結部材２８が設けられている。
【００２４】
また、一方の連結ベルト２６ａは、他方の連結ベルト２６ｂよりも短い。このように２本の連結ベルト２６で長さを異ならせることによって、図５（ａ）に示すように、手提げバッグ本体２０を折り畳んだ状態での結束の調整が容易となる。
【００２５】
連結部材２８は、図３に示すように、２本の連結ベルト２６のそれぞれに接続されている。また、連結部材２８ｂは、連結ベルト２６ｂの長さを調整することも可能である。つまり、連結ベルト２６ｂは、連結部材２８ｂの取付位置を調整可能である。
【００２６】
また、これら連結部材２８は、その一方が雄部材であり、その他方が雌部材である。このため、２つの連結部材２８ａ及び２８ｂは、連結可能である。このように、連結部材２８は、上述した連結ベルト２６にそれぞれ設けられた第２連結部であり、第２連結雄部と第２連結雌部とから構成されている。このように連結することによって、例えば、図５（ａ）に示すように、物品を収納しない場合には、手提げバッグ本体２０を折り畳んだ状態で結束することができ、コンパクトで持ち運びがよく、簡便である。
【００２７】
また、詳しく後述するが、これら手提げバッグ本体２０の連結部材２８は、クッション３０の連結部材３６と同形状である。従って、手提げバッグ本体２０とクッション３０とが連結可能であり、図１及び図２に示すように、手提げバッグ１０が座席部１２ｃに取り付け可能となる。
【００２８】
クッション３０は、図３及び図４に示すように、ユーザＰが座るときに使用するクッション本体３２と、連結ベルト３４と、連結部材３６とで構成されている。
【００２９】
また、このクッション３０は、未使用時においては、手提げバッグ１０の袋部２２の底面２２ｂに収納可能である。つまり、このクッション３０は、手提げバッグ本体２０の内底に着脱自在に配設される緩衝部である。
【００３０】
クッション本体３２は、３枚の板形状のクッション部材３２ａ〜３２ｃが長辺で連結され、折り畳まれたものであり、それらクッション部材３２ａ〜３２ｃが展開されることによって略正方形となる。つまり、クッション３０は、折り畳み可能に複数のクッション部材３２ａ〜３２ｃが連結されている。
【００３１】
クッション部材３２ａ〜３２ｃは、それぞれウレタン素材を被服したものであり、その厚みは、約７ｍｍ〜８ｍｍである。もちろん、クッション部材３２ａ〜３２ｃの厚みはこれよりも厚くても薄くてもよい。
【００３２】
連結ベルト３４は、連結部材３６を延長させるための２本のベルトである。この連結ベルト３４の一端は、クッション本体３２における中央のクッション部材３２ｂに対して、それぞれ対向する位置に縫い付けられている。一方、連結ベルト３４は、その他端が連結部材３６に接続されている。つまり、連結ベルト３４は、クッション部材３２ｂの両端からそれぞれ延伸する第１延伸部であり、これらのそれぞれに連結部材３６が設けられている。
【００３３】
連結部材３６は、２本の連結ベルト３４のそれぞれに接続されている。また、連結部材３６ａは、連結ベルト３４ａの長さを調整することも可能である。つまり、連結ベルト３４ａは、連結部材３６ａの取付位置を調整可能である。
【００３４】
また、これら連結部材３６は、その一方が雄部材であり、その他方が雌部材である。このため、２つの連結部材３６ａ及び３６ｂは、連結可能である。このような連結部材３６は、上述した連結ベルト３４にそれぞれ設けられた第１連結部であり、第１連結雄部と第１連結雌部とから構成されている。
【００３５】
また、クッション３０の連結部材３６は、上述した手提げバッグ本体２０の連結部材２８と同形状である。このため、雄部材であるクッション３０の連結部材３６ａは、雌部材である手提げバッグ本体２０の連結部材２８ａと連結可能であり、雌部材であるクッション３０の連結部材３６ｂは、雄部材である手提げバッグ本体２０の連結部材２８ｂと連結可能である。従って、手提げバッグ本体２０とクッション３０とが連結可能であり、図１及び図２に示すように、手提げバッグ１０が座席部１２ｃに取り付け可能となる。
【００３６】
このように、手提げバッグ本体２０とクッション３０とが連結可能であり、手提げバッグ１０が座席部１２ｃに取り付け可能となるため、ユーザの座り心地をよくすると共に、更に座席部の下方に手提げバッグを配置することができる。このため、内部に物品を収納した状態で手提げバッグをコンパクトに保持することができる。これは、スタジアムや劇場など、座席の前方が狭い通路になっている場合は特に効果的であり、座席に座っている人や、その近隣の座席に座っている人、更には、前後左右の通路を通過する人にとっても簡便である。
【００３７】
また、手提げバッグ本体２０の連結ベルト２６ｂ、クッション３０の連結ベルト３４ａは、手提げバッグ本体２０の連結部材２８ｂや、クッション３０の連結部材３６ａの取付位置を調整可能であるため、クッション３０と手提げバッグ本体２０との所望の長さに調整することができ、更には、手提げバッグ本体２０を地面につけることなく保持可能となり、地面が濡れている場合であっても簡便である。
【００３８】
［その他の実施形態］
尚、上述した実施形態においては、３つに折り畳み可能なクッション３０を採用したが、本考案はこれに限らず、例えば、２つ、又は４つ以上に折りたたみ可能であってもよい。
【００３９】
また、上述した実施形態においては、上方からみて長方形状の手提げバッグ本体２０を採用したが、本考案はこれに限らず、例えば、正方形状、楕円形状など、他の箱状であってもよい。もちろん、クッションも手提げバッグ本体に収納可能であればその形状も問わない。
【００４０】
また、上述した実施形態において、手提げバッグ本体２０、クッション３０のそれぞれにおいて、一方の連結ベルト２６ｂ及び３４ａを、連結部材２８ｂ及び３６ａの取付位置を調整可能としたが、本考案はこれに限らず、例えば、両方の連結ベルトをそれぞれの連結部材の取付位置を調整可能としてもよい。また、例えば、手提げバッグ本体２０、クッション３０の一方を調整可能としてもよい。
【００４１】
また、上述した実施形態において、持ち手２４と連結ベルト２６とを異なる辺に縫い付けたがこれに限らず、例えば、同じ辺に縫い付けてもよい。また、手提げバッグ本体２０は、袋部２２に、持ち手２４及び連結部材２６を縫い付けて構成したが、本考案はこれに限らず、例えば、一体に形成してもよい。
【符号の説明】
【００４２】
１０  手提げバッグ
２０  手提げバッグ本体
２２  袋部
２６，３４  連結ベルト
２８，３６  連結部材
３０  クッション
３２  クッション本体
【図１】
0003153418.tif 000003
【図２】
0003153418.tif 000004
【図３】
0003153418.tif 000005
【図４】
0003153418.tif 000006
【図５】
0003153418.tif 000007